(57)【要約】【課題】  不燃性で形状も変化せず、従来と同様の固定部品によって内装建材を固定することができるとともに、その固定部品の材質を変化させる虞のない、従来に比して廉価な音響施設の内装建材固定用の下地建材の提供を課題とする。【解決手段】  音響施設の室内空間を形成する吸音天井板５０等の内装建材は、下地建材４２を介してＭバー５３等のＬＧＳ（軽量鉄骨下地）に固定される。下地建材４２は、石膏板６０と金属製の薄板６１とによって構成されている。金属製の薄板６１は石膏板６０の片面側の全面に接着されている。吸音天井板５０を下地建材４２に固定するピンネイル５４は、金属製の薄板６１を貫通して石膏板６０に刺さる。下地建材４２は、木ネジ等のネジ部材６２によってＭバー５３に固定される。【選択図】  図３
0003209625.tif 000002
【実用新案登録請求の範囲】
【請求項１】
ビルディングなどの建築物の内部に敷設されるスタジオ等の音響施設の室内の壁面や天井面を形成する内装建材を固定するための音響施設の内装建材固定用の下地建材であって、直方体の石膏板の前記内装建材に対向する片面側の全面に、金属製の薄板が接着されていることを特徴とする音響施設の内装建材固定用の下地建材。
【考案の詳細な説明】
【技術分野】
【０００１】
本考案は、ビルディングなどの建築物の内部に敷設されるスタジオ等の音響施設の室内の壁面や天井面を形成する内装建材を固定するための下地建材に関するものである。
【背景技術】
【０００２】
従来から、レコーディングスタジオや放送用スタジオ等の音響施設は、その周囲の音が室内に入ることなく、且つ室内の音がその周囲に漏れることがないように防音構造になっており、通常は図４に示したようにビルディングなどの建築物Ｂの内部に敷設されている。
【０００３】
この建築物Ｂの内部に敷設されている音響施設Ｓの構造の一例を図５を用いて以下に説明する。
【０００４】
図５において、１はビルディングなどの建築物Ｂの床面であり、２はその壁面、３はその天井面である。
【０００５】
音響施設Ｓの床は一般に浮床構造になっており、建築物Ｂの床面１上に複数個の防振ゴム１１を配設して、その上に、荷重材兼防音材である浮床材１２を載置し、さらにその上に、フローリング材やタイルカーペット等の仕上げ床材１０が配設されている。
【０００６】
この荷重材兼防音材である浮床材１２は、一般に、合板材上にコンクリート材を積層して構成したり、その上に合板材をさらに積層して構成したりするものであり、この浮床材１２と建築物Ｂの床面１との間の空間には、複数個の防振ゴム１１の他、グラスウール１３等の吸音材が空いている空間内を埋めるように配設されている。
【０００７】
２０は遮音壁板、３０は遮音天井板であり、この遮音天井板３０と遮音壁板２０と浮床材１２で構成される床とによって囲まれた空間はその外部の音の影響は受けず、またこの空間の内部の音は外部に漏れないように構成されている。
【０００８】
遮音壁板２０は、軽量鉄骨下地（Ｌｉｇｈｔ  Ｇａｇｅ  Ｓｔｅｅｌ：以下「ＬＧＳ」と呼ぶ）であるスタッド２１に固定されており、このスタッド２１は、浮床材１２からなる床面と、防振ゴム２２を介して建築物Ｂの壁面２とによって支持されている。
【０００９】
以上のような遮音天井板３０，遮音壁板２０，浮床材１２によって囲まれている遮音空間の内部に、この音響施設Ｓの利用者が実際に使用する室内空間が形成されている。
【００１０】
この室内空間は、透音性のあるクロスパネル等の内装建材によって構成される吸音天井板５０および吸音壁板４０と仕上げ床材１０とによって形成されている。この室内空間を形成する吸音天井板５０および吸音壁板４０と、遮音天井板３０および遮音壁板２０との間に形成される空間は、室内音響調整空間として使用されている。
【００１１】
室内音響調整空間とは、この音響施設Ｓの利用者が室内空間で発生させる肉声や音楽などの「音」が、室内空間にいる人間に対して「自然な音」に聞こえるように室内での残響音等を調整するための空間であり、この室内音響調整空間には、吸音材であるグラスウールや反射材であるレンガや所謂「サウンドトラップ」等の部材が適宜配置されている。
【００１２】
室内空間を形成している内装建材である吸音壁板４０は、室内壁面の装飾性を確保するために細い釘やピンネイルのような固定部品によってこの吸音壁板４０を固定することができる内装建材固定用の下地建材４２を介して、この室内空間の周囲に配設されているＬＧＳであるスタッド４１に固定されている。
【００１３】
また、吸音天井板５０は、同様に、下地建材４２を介してＬＧＳであるＭバー５３に固定されている。このＭバー５３は、ＬＧＳであるＣチャンネル５２に固定されており、このＣチャンネル５２は防振ハンガー５１を介して遮音天井板３０や建築物Ｂの天井面３などの上部の構造物に吊り下げられた状態で支持されている。すなわち、室内空間を形成する天井は、所謂「吊り天井」となるように構成されている。なお、吸音天井板５０の上部に位置する遮音天井板３０も、その上部に位置する建築物Ｂの天井面３に吊り下げられた状態で支持されている。
【００１４】
以上のように構成された音響施設Ｓにおいて、従来は、内装建材である吸音天井板５０や吸音壁板４０を固定する下地建材４２としては、図６に示すように、薬剤処理をした不燃性の木材を板状に加工した木板が使用されていた。
【００１５】
このような木板が下地建材４２として使用されている理由は、先に説明したようにピンネイル５４のような固定部品によって吸音天井板５０などの内装建材を固定することが出来るという理由の他、防火対策上から不燃性建材を用いなければならないという法的規制にも適合するからである。さらに、金属ではない木材を下地建材４２とすることにより、音響施設Ｓの室内空間で音を発生させた場合、その音の空気振動に起因する、スタッド４１やＭバー５３などのＬＧＳと下地建材４２との接触面での所謂「ビビリ音」の発生を防ぐことができるという理由もある。
【考案の概要】
【考案が解決しようとする課題】
【００１６】
しかしながら、以上説明した音響施設Ｓの内装建材を固定する下地建材４２として、従来のような不燃性の木板を使用した場合には、以下のような問題があった。
【００１７】
先ず木板の素材は天然木であるので、「伸び」「縮み」「反り」等による形状の変化を防ぐことができず、その使用時において不都合が生じる場合がある。
【００１８】
また、この木板は、不燃性にするための薬剤処理が施されているために、その使用している薬剤によっては、ピンネイル５４などの固定部品の材質が変化して、その強度等も変化してしまう虞がある。さらに、不燃性にするための処理が必要なので、下地建材４２の価格がその分だけ高価になってしまうという問題もあった。
【課題を解決するための手段】
【００１９】
以上の問題を解消するために本考案は、ビルディングなどの建築物の内部に敷設されるスタジオ等の音響施設の室内の壁面や天井面を形成する内装建材を固定するための音響施設の内装建材固定用の下地建材であって、直方体の石膏板の前記内装建材に対向する片面側の全面に、金属製の薄板が接着されていることを特徴とするものである。
【考案の効果】
【００２０】
本考案によれば、不燃性で形状も変化せず、従来と同様の固定部品によって内装建材を固定することができるとともに、その固定部品の材質を変化させる虞のない、従来に比して廉価な音響施設の内装建材固定用の下地建材を提供することができる。
【図面の簡単な説明】
【００２１】
【図１】本考案の実施例１の構成を示す斜視図である。
【図２】本考案の実施例１の使用方法の説明図である。
【図３】本考案の実施例１の使用方法の説明図である。
【図４】従来の音響施設Ｓの説明図である。
【図５】従来の音響施設Ｓの構成図である。
【図６】従来の内装建材固定用の下地建材の構成の説明図である。
【考案を実施するための形態】
【００２２】
以下、図面を用いて本考案の実施例を説明する。
【実施例１】
【００２３】
図１は、本考案の実施例１の構成を示した斜視図である。
【００２４】
図１に示したように、本実施例１に係る下地建材４２は、板状すなわち直方体の石膏板６０と金属製の薄板６１によって構成されている。
【００２５】
この石膏板６０は、一般に市販されている厚さ９．５ｍｍ〜２１ｍｍ程度の石膏ボードを切断して作成したものである。また、金属製の薄板６１は、一般に市販されている厚さ０．２７ｍｍ〜２．０ｍｍ程度の亜鉛鋼板等の金属製の薄板を切断して作成したものである。この金属製の薄板６１は石膏板６０の片面側の全面に接着剤を用いて固定されている。
【００２６】
本実施例１を実際に作成する場合には、材料となる一般に市販されている石膏ボードの片面側の全面に金属製の薄板６１を接着剤を用いて予め固定しておき、その金属製の薄板６１が固定されている石膏ボードを、下地建材４２として使用する長さや幅に切断して作成すればよい。
【００２７】
以上のように構成された本実施例１は、石膏板６０と金属製の薄板６１という不燃性の材料のみによって構成されており、また、天然の木材とは異なりその形状が変化するようなこともない。
【００２８】
ここで、本実施例１を使用する場合には、図２に示したように、金属製の薄板６１が固定されている面が、吸音天井板５０などの内装建材に対向するようにして使用する。このように使用すれば、Ｍバー５３などのＬＧＳと接触するのは本実施例１の石膏板６０であるので、この接触部分での所謂「ビビリ音」の発生を防ぐことができる。
【００２９】
図３に示すように、本実施例１に係る下地建材４２をＭバー５３などのＬＧＳに固定する場合には、従来と同様に木ネジやタッピングネジなどのネジ部材６２によって固定することができる。また、吸音天井板５０などの内装建材を本実施例１に固定する場合も、従来と同じようにピンネイル５４のような固定部品によって内装建材を固定することができる。
【００３０】
図３に示したような状態で本実施例１を使用すれば、ピンネイル５４は、吸音天井板５０などの内装建材および金属製の薄板６１を貫通した状態で石膏板６０に刺さる。石膏板６０のみにピンネイル５４を刺した場合には、ピンネイル５４は容易に抜けてしまうが、このように金属製の薄板６１が固定されている石膏板６０にピンネイル５４を刺した場合には、ピンネイル５４は容易には抜けない。さらに、本実施例は、石膏板６０と金属製の薄板６１とによって構成されているので、ピンネイル５４などの固定部品の材質を変化させることもない。
【００３１】
以上説明した本実施例１は、一般に市販されている石膏ボードと金属製の薄板とによって容易に作成することができるので、従来の手間と時間がかかる不燃処理を施した木材を材料とした下地建材に比して廉価に作成することができる。
【産業上の利用可能性】
【００３２】
本考案に係る下地建材は、音響施設の内装建材固定用の下地建材として好適であるが、一般住宅の内装建材固定用の不燃性の下地建材としても使用することができる。
【符号の説明】
【００３３】
１  床面
２  壁面
３  天井面
１０  仕上げ床材
１１，２２  防振ゴム
１２  浮床材
１３  グラスウール
２０  遮音壁板
２１，４１  スタッド
３０  遮音天井板
４０  吸音壁板
４２  下地建材
５０  吸音天井板
５１  防振ハンガー
５２  Ｃチャンネル
５３  Ｍバー
５４  ピンネイル
６０  石膏板
６１  金属製の薄板
６２  ネジ部材
Ｂ  建築物
Ｓ  音響施設
【図１】
0003209625.tif 000003
【図２】
0003209625.tif 000004
【図３】
0003209625.tif 000005
【図４】
0003209625.tif 000006
【図５】
0003209625.tif 000007
【図６】
0003209625.tif 000008